(57)【要約】  薬剤シリンジポンプ力センサのための過負荷保護の方法及び装置を提供する。ドームスイッチが、薬剤ポンプの力センサ構成部分と一緒に採用される。ドームスイッチは過負荷圧力で圧潰し、力センサ限界を超えるポンプ駆動力から、力センサを分離する。過負荷によって警報信号をトリガし、ポンプの遮断を開始することができる。
2017521183.tif 000002
【特許請求の範囲】
【請求項１】
シリンジプランジャに加えられた過負荷力からシリンジポンプ力センサを動作的に分離するための過負荷保護装置であって、
前記シリンジプランジャが親指押圧部を備えており、前記シリンジポンプ力センサが、前記親指押圧部に加えられる駆動力を測定するために前記親指押圧部に動作的にカップリング可能であり、
前記過負荷保護装置は、
ドームスイッチ長手方向軸線と、前記ドームスイッチ長手方向軸線に沿って測定されるドームスイッチ幅とを備えたドームスイッチであって、前記ドームスイッチがドームスイッチ伸長形態とドームスイッチ圧潰形態との間でシフト可能であり、前記ドームスイッチが、ドームスイッチ幅伸長寸法とドームスイッチ幅圧潰寸法との間でシフト可能なドームスイッチ幅を備えており、前記ドームスイッチ幅圧潰寸法が前記ドームスイッチ幅伸長寸法よりも小さく、前記ドームスイッチが、軸線方向ピストン駆動力を前記ドームスイッチへ伝達し、そしてドームスイッチ伸長形態とドームスイッチ圧潰形態との間で前記ドームスイッチをシフトするために、前記親指押圧部に動作的にカップリングされたドームスイッチ係合面で、前記シリンジポンプ力センサと動作的に係合可能である、ドームスイッチと、
前記ドームスイッチを受容し、そして前記軸線方向ピストン駆動力とほぼ整合されたドームスイッチ長手方向軸線を配向するためのドームスイッチ受けを画定する構造であって、前記ドームスイッチ受けがドームスイッチ受け端壁と、ドームスイッチ受け動作深さとを備えており、前記ドームスイッチ受け動作深さは、前記ドームスイッチが前記ドームスイッチ伸長形態を成すときに、前記ドームスイッチ受け端壁と前記ドームスイッチ係合面との間で前記ドームスイッチ長手方向軸線に沿って測定可能である、構造と、
前記ドームスイッチ受けを画定する前記構造に動作的にカップリングされたプランジャストッパであって、前記プランジャ親指押圧部と動作的に係合するために、そして前記ドームスイッチ受け動作深さが前記ドームスイッチ圧潰寸法よりも常に大きいように前記ドームスイッチ受けを画定する前記構造に対する前記プランジャの移動を動作的に制限する、プランジャストッパと、
を含むことを特徴とする過負荷保護装置。
【請求項２】
前記ドームスイッチが可変比率ばねデバイスを含むことを特徴とする請求項１に記載の装置。
【請求項３】
前記ドームスイッチが不均一力曲線で圧潰するように形成されていることを特徴とする請求項１に記載の装置。
【請求項４】
シリンジプランジャに加えられた過負荷力からシリンジポンプ力センサを動作的に分離するための過負荷保護を可能にする方法であって、
前記シリンジプランジャが親指押圧部を備えており、前記シリンジポンプ力センサが、前記親指押圧部に加えられる駆動力を測定するために前記親指押圧部に動作的にカップリング可能であり、
前記方法は、
ドームスイッチを受容するためのドームスイッチ受けを画定する構造を用意するステップであって、前記ドームスイッチが、ドームスイッチ長手方向軸線と、前記ドームスイッチ長手方向軸線に沿って測定されるドームスイッチ幅とを備えており、前記ドームスイッチがドームスイッチ伸長形態とドームスイッチ圧潰形態との間でシフト可能であり、前記ドームスイッチが、ドームスイッチ幅伸長寸法とドームスイッチ幅圧潰寸法との間でシフト可能なドームスイッチ幅を備えており、前記ドームスイッチ幅圧潰寸法が前記ドームスイッチ幅伸長寸法よりも小さく、前記ドームスイッチが、軸線方向ピストン駆動力を前記ドームスイッチへ伝達し、そしてドームスイッチ伸長形態とドームスイッチ圧潰形態との間で前記ドームスイッチをシフトするために、前記親指押圧部に動作的にカップリングされたドームスイッチ係合面で、シリンジポンプ力センサと動作的に係合可能であり、そして前記軸線方向ピストン駆動力とほぼ整合された前記ドームスイッチ長手方向軸線を配向し、前記ドームスイッチ受けがドームスイッチ受け端壁と、ドームスイッチ受け動作深さとを備えており、前記ドームスイッチ受け動作深さは、前記ドームスイッチが前記ドームスイッチ伸長形態を成すときに、前記ドームスイッチ受け端壁と前記ドームスイッチ係合面との間で前記ドームスイッチ長手方向軸線に沿って測定可能であるステップと、
前記ドームスイッチ受けを画定する前記構造に前記プランジャストッパを動作的にカップリングするステップであって、前記プランジャ親指押圧部と動作的に係合し、そして前記ドームスイッチ受け動作深さが前記ドームスイッチ圧潰寸法よりも常に大きいように前記ドームスイッチ受けを画定する前記構造に対する前記プランジャの移動を動作的に制限する、ステップと、
を含むことを特徴とする過負荷保護を可能にする方法。
【請求項５】
更に、前記ドームスイッチを用意することを含むことを特徴とする請求項４に記載の方法。
【請求項６】
更に、ドームスイッチ受けを画定する前記構造と前記ドームスイッチとを含むシリンジポンプを用意することを含むことを特徴とする請求項４に記載の方法。
【発明の詳細な説明】
【技術分野】
【０００１】
実施態様は薬剤輸液ポンプに関する。具体的には、実施態様は、薬剤を患者に投与するために使用されるシリンジポンプの駆動メカニズムにおける力過負荷を検知してこれから保護するための方法及び装置に関する。
【背景技術】
【０００２】
シリンジポンプは、薬物、栄養組成物、及び処方された流体又は流体様物質（まとめて「薬剤」と呼ぶ）を、体積及び時間において制御された用量で患者に投与するために種々様々な治療分野において使用されている。薬剤は、典型的には０．１ｍｌ／ｈｒという低速から１２００ｍｌ／ｈｒという高速までの輸液速度で、このようなポンプによって正確且つ連続的に投与することができる。シリンジポンプは、薬剤を的確、正確、且つ連続的に送達することができるので、例えば疼痛管理及び苦痛緩和治療に極めて適しており、さらに、新生児及び小児の集中治療室においてしばしば有用である。
【先行技術文献】
【特許文献】
【０００３】
【特許文献１】米国特許第７，６３５，３４９号明細書
【特許文献２】米国特許第６，５５１，２７７号明細書
【発明の概要】
【発明が解決しようとする課題】
【０００４】
動作中、薬剤シリンジポンプは、プランジャを有するシリンジを含む。プランジャは、薬剤を含有するシリンダの内部にスライド可能に、しかし密にフィットする。シリンダを通してプランジャをシフトする際のポンプの動作によって、シリンダから薬剤が投与される。したがって、薬剤は、薬剤を患者へ導く針、ノズル、チューブ、又はこれに類するものを含む送達経路を通して、加圧下のシリンダから駆出される。シリンジポンプ内のシリンジから出た薬剤は例えば静脈内、動脈内、硬膜外、又は皮下で投与することができる。言うまでもなく、薬剤のコンスタントな定量投与は、シリンジポンプ内のシリンジから送達経路を通る流れが定常的且つ正確であることを必要とする。ポンプの送達圧力の予期せぬ上昇は、流れの閉塞、ポンプの機能不良、又は他の問題を示すおそれがある。
【０００５】
例えば特許文献１及び特許文献２に示されているように、シリンジポンプのプランジャドライバヘッドに接続した状態で力センサを配置することができる。このようにすれば、標準動作範囲を超えた圧力の形成を検知し、警報をトリガし、そして修正処置を開始することができる。一般に、このタイプのセンサは薄箔材料、又は金属化されたガラス基板、例えばシリコンウエハーから形成されている。特に後者の場合、センサが回復不能に損傷させられ、ポンプを修理のために運転休止させることが必要となるおそれがある点で、手荒な取り扱い又は極端な過負荷が懸念される。
【０００６】
手荒な取り扱い又は極端な過負荷の損傷作用からシリンジポンプ内の力センサを分離し、しかもなお力センサが過負荷状態を正確に、信頼性高く、そして繰り返し検出し、且つ／又は過負荷警報を提供するのを可能にするための過負荷保護方法及び過負荷保護システムが、決定的な利点をもたらすことになる。
【課題を解決するための手段】
【０００７】
上記問題点は、薬剤シリンジポンプの過負荷保護のための装置及び方法の実施態様によって大部分が対処される。本明細書の過負荷保護装置及び方法は、正常条件及び予測動作圧力のもとでは薬剤シリンジポンプの通常の動作を可能にし、そして正常な動作圧力を超えると、ポンピング活動、及びポンピング力の付与を停止可能にする。より具体的には、本明細書の過負荷保護装置及び方法の力センサは、設定点を超えると過負荷力から物理的に分離され、これにより損傷から保護される。
【０００８】
本明細書の過負荷保護装置及び方法は一実施態様では、待機状態である伸長形態と圧潰形態との間でシフト可能なドームスイッチと、ドームスイッチを受容するためのドームスイッチ受けを画定する構造と、プランジャストッパとを含んでいる。プランジャストッパは、薬剤シリンジのシリンジプランジャ、又はプランジャに動作的にカップリングされた構造、及びシリンジポンプと係合可能であるように、そしてシリンジプランジャ、又はプランジャに動作的にカップリングされた構造の、ドームスイッチ受け内への延びを制限するように、ドームスイッチ受けに対して配向されている。本明細書全体を通して使用される「ドームスイッチ」という用語は、任意の可変比率ばね構成部分又はデバイス、または実施態様において又は実施態様とともに使用するのに適した、不均一力曲線で圧潰する傾向のある構成部分又はデバイスを含むように意図されている。
【図面の簡単な説明】
【０００９】
【図１】図１は、一実施態様に基づく過負荷保護システムを有する薬剤シリンジポンプを、シリンジがポンプの上側の位置にある状態で示す斜視図である。
【図２】図２は、一実施態様に基づく過負荷保護システムを有する薬剤シリンジポンプを、シリンジの親指押圧部がポンプのシリンジ係合プランジャドライバヘッドによって動作的に係合された状態で示す部分断面図である。
【図３】図３は図２に類似しているが、しかし過負荷保護システムのドームスイッチが一実施態様に基づく圧潰形態を成す状態で示す図である。
【図４】図４ａは、一実施態様に基づく過負荷保護システムにおいて使用されるドームスイッチを、ドームスイッチがその伸長形態を成す状態で示す平面図であり、図４ｂ及び４ｃは、図４ａに示されたドームスイッチを、ドームスイッチが伸長形態を成す状態で示す側面図である。
【図５】図５ａ，５ｂ及び５ｃは、対応する図４ａ，４ｂ及び４ｃと類似しているが、しかしドームスイッチが圧潰形態を成す状態で示す図である。
【図６】図６は、一実施態様に基づく過負荷保護システムにおいて使用されるドームスイッチとドームスイッチ接触板とを示す分解図である。
【図７】図７は、一実施態様に基づく過負荷保護システムにおいて使用されるドームスイッチの幅（距離）を、ドームスイッチに加えられる力の関数として示す図である。
【発明を実施するための形態】
【００１０】
図面を参照すると、図１は、本明細書の対象に基づく過負荷保護装置１２を組み込んだ薬剤シリンジポンプ１０の一例を示している。薬剤シリンジ１４が動作位置で、シリンジポンプ１０の上側の近くに取り付けられた状態で示されている。
【００１１】
シリンジポンプ１０はベース１６と、ディスプレイ及びユーザー入力パネル１８と、ハンドル２０と、プランジャドライバ２２とを含む。プランジャドライバ２２は、駆動ロッド２３とシリンジ係合ヘッド２４とを含む。シリンジ１４は、シリンジポンプ１０の上側の近くに形成されたシリンジクレードル２６内でシリンジポンプ１０によって取り外し可能に受容されている。シリンジポンプ１０上の所定の位置にシリンジ１４を保持するために、シリンジクランプ２８が働く。シリンジ１４はシリンジシリンダ３０とシリンジプランジャ３２とを含む。シリンジプランジャ３２はその遠位端に親指押圧部（thumb press）３４を含む。プランジャドライバ２２は、ポンプ１０の電気駆動モータ（図示せず）によって作動させることができる。
【００１２】
図２を参照すると、一実施態様に基づく過負荷保護装置１２が、プランジャドライバ２２のシリンジ係合ヘッド２４に装着された状態で示されている。
【００１３】
プランジャドライバ２２のシリンジ係合ヘッド２４は前板３６と、側壁３８と、後板４０（図１に示されている）とを含んでいる。シリンジ係合ヘッドの前板３６は、シリンジプランジャ３２の親指押圧部３４を受容するための、側壁４４によって画定された一体的な親指押圧部受け４２を含んでいる。前板３６は、親指押圧部受け４２の側壁４４とほぼ整列する（又は側壁４４に対してほぼセンタリングされた）開口４６を含んでいる。
【００１４】
前板の側壁４４の開口４６内部にはシリンジポンプ力センサ４８が受容されている。力センサ４８は例えば、「Measurement Specialties, 1000 Lucas Way, Hampton, VA 23666, www.meas-spec.com」から入手可能なモデルFX1901 Force Sensorであってよい。一般に、このタイプのセンサは薄箔材料、又は金属化されたガラス基板、例えばシリコンウエハーから形成されている。
【００１５】
過負荷保護装置１２は、ドームスイッチ５０と、ドームスイッチ保持器５２と、プランジャストッパ５４とを含んでいる。プリント回路板５６がドームスイッチ５０との電気的な接続を提供する。ポンプ１０の電動モータ（図示せず）への給電は、ドームスイッチ５０の動作によって直接に又はコントローラ（図示せず）を介して中断することができる。
【００１６】
ドームスイッチ５０は例えば、「Snaptron, Inc., 960 Diamond Valley Drive, Windsor, CO 80550, www.snaptron.com」から入手可能なドームスイッチであってよい。ドームスイッチ５０は、例えばサイズが２０．２ｍｍであるとともにトリップ力が５５００ｇである。図６に示されているように、ドームスイッチ５０は凹面／凸面状スイッチ本体５８と、半径方向に延びる脚部６０とを含んでいる。図４ａ〜ｃ及び図５ａ〜ｃを参照すると、ドームスイッチ５０の幅を横切る、ドームスイッチ長手方向軸線に沿った距離は、伸長形態（図４ａ〜ｃ；Ｄ１）を成すドームスイッチの方が、圧潰形態（図５ａ〜ｃ；Ｄ２）を成すドームスイッチ５０の幅を横切る距離よりも大きい。図６を再び参照すると明らかなように、ドームスイッチ５０が伸長形態（図４ａ〜ｃ）を成しているときには、ドームスイッチ５０の脚部６０を回路板５６上の電気的トレース６２，６４に保持することにより、トレースリード６５ａ，６５ｂ間の電気的な接続を形成することができ、また、ドームスイッチ５０が圧潰形態（図５ａ〜ｃ）を成しているときには、脚部６０は回路板５６上の電気的トレース６２，６４から持ち上げられ、これにより電気的接続を取り除く。言うまでもなく、ドームスイッチ５０及びその脚部６０は、可変比率ばね構成部分の一例にすぎない。したがって、例えばスイッチ本体、脚部、電気的トレース及びリード、回路板、及び電気的接続部の任意の適宜な形態及び／又は変更形を、本明細書の対象において又は対象とともに使用するために採用されてもよい。
【００１７】
具体的には、図７のグラフを参照すると明らかなように、ドームスイッチ５０の幅を横切る距離Ｄ１は、ドームスイッチ５０の幅を横切って加えられる力（圧力）の所定の規模までは比較的一定である。臨界圧力（Ｆｓ）において、ドームスイッチ５０のドーム５８は圧潰（スナップ）し、ドームスイッチ５０の幅を横切る距離Ｄ２は第２の比較的小さな値になる。これに相応して、ドームスイッチ５０の脚部６０は、トレース６２，６４との接触状態から、非接触状態へそれぞれ推移する。図７には明示されていないが、位置Ｄ１にあるドームスイッチ５０は「プレロード」をかけられていることが明らかである。プレロードは、いくつかの実施態様において、力センサの作業負荷よりも大きい。やはり言うまでもなく、特定の実施態様が有するＤ１及びＤ２の具体的な範囲は、実施態様間でかなり変動してよい。
【００１８】
ドームスイッチ保持器５２は前板３６の所定の位置にねじ６６によって取り外し可能に保持されている。ドームスイッチ５０及び回路板５６を受容するために、ドームスイッチ保持器５２の内側寸法にキャビティ６８が設けられている。キャビティ６８の深さは、ドームスイッチ５０がその伸長形態を成しているときには、回路板５６の幅と、ドームスイッチ５０の幅を横切る距離Ｄ１とを組み合わせたものにほぼ等しい。しかしながら、キャビティ６８の深さは、ドームスイッチ５０がその圧潰形態を成しているときには、回路板５６と、ドームスイッチ５０の幅を横切る距離Ｄ２とを組み合わせたものよりも大きい。
【００１９】
図２を再び参照すると、動作中に、実施態様に基づく過負荷保護装置１２が薬剤シリンジポンプ１０内の所定の位置にある状態で示されている。薬剤シリンジポンプ１０のシリンジ係合ヘッド２４は、シリンジプランジャ３２の親指押圧部３４と当接可能に係合されるものとして示されている。言うまでもなく、プランジャドライバ２２が図２の左方向へ動くと、シリンジプランジャ３２は図２で見て左方向へシフトされ、ひいてはシリンジプランジャ３２は、シリンジポンプ１０内のシリンジ１４から薬剤を制御可能に駆出するために、シリンジポンプ３０に沿ってシフトされる。
【００２０】
プランジャドライバ２２が、薬剤を定量供給するためにシリンジシリンダ３０に沿ってシリンジプランジャ３２をシフトするのに伴って、力センサ４８はシリンジプランジャ３２に対するプランジャドライバ２２の駆動圧力を受け、そしてこの駆動圧力に応答して信号を提供する。上述のように、閉塞、設備の故障、又はこれに類するものに起因してシリンジプランジャに過負荷圧力が加えられる場合、力センサ４８はその圧力を記録するが、しかし過負荷圧力が臨界極限に達すると損傷を被るおそれがある。言うまでもなく、過負荷圧力又は過負荷力は他の起源、例えば手荒な取り扱い、又はポンプの落下、又は結果として力センサに伝達されるポンプ又はその個々の構成部分に対する他の衝撃から生じることもある。
【００２１】
過負荷保護装置１２は、過負荷圧力が臨界極限を超えたときに、力センサ４８を損傷から保護するように構成されている。図２を参照すると、正常動作圧力下では、プランジャドライバ２２の駆動力は、シリンジ係合ヘッド２４を介して、ドームスイッチ５０、回路板５６、力センサ４８を横切って、シリンジプランジャ３２の親指押圧部３４へ伝達される。図７を参照すると明らかなように、動作圧力が臨界圧力（Ｆｓ）まで上昇するのにしたがって、ドームスイッチ５０はその伸長形態を維持し、そしてドームスイッチ５０の幅を横切る距離Ｄ１は比較的一定のままである。図７及び３を参照すると、動作圧力が臨界圧力Ｆｓを超えたときに、ドームスイッチ５０は圧潰してその圧潰形態になり、ドームの幅を横切る距離をＤ１から、より小さいＤ２に低減する。上で詳述したように、ドームスイッチ５０及び回路板５６を保持するキャビティ６８の深さは、ドームスイッチ５０が圧潰形態を成しているときには、回路板５６の幅とドームスイッチ５０を横切る距離Ｄ２とを組み合わせたものよりも大きい。さらに、図３を参照すると、ドームスイッチ５０が圧潰すると、親指押圧部３４がシリンジ係合ヘッド２４のプランジャストッパ５４と係合し、シリンジ係合ヘッド２４に対するシリンジプランジャ３２の運動を停止させる。したがって、ドームスイッチ５０及び回路板５６はキャビティ６８内で緩く保持されるようになり、回路板５６、及び特に力センサ４８はプランジャドライバ２２の（過負荷）駆動力をもはや受けることはなく、これにより力センサ４８を、損傷を招く過剰な負荷から分離する。加えて、このような状態において、ドームスイッチ５０の脚部６０は、回路板５６の伝導性トレース６２，６４との接触を回避するように延ばされ、ドームスイッチ５０を介した伝導性トレース６２，６４間の電気的接続を中断する。ドームスイッチ５０を介した電気的接続の中断は、過負荷状態の存在を信号化し、そしてポンプの遮断を開始することができる。
【００２２】
図７を参照すると、過負荷力に対するドームスイッチ５０の感度は、ドームスイッチ５０にプレロードを加える（すなわち所望の程度まで圧縮する）ことにより高めることができる。具体的には、キャビティ６８の深さを選択的に低減することにより、ドームスイッチ５０を所望の程度まで圧縮することができ、しかもなお、ドームスイッチ５０に作用する圧力を臨界圧力（Ｆｓ）よりも低く保つことができる。動作圧力を臨界圧力（Ｆｓ）にもたらすための付加的な力はしたがって、より小さくなり、これにより過負荷保護装置１２の感度が高められる。
【００２３】
特定の実施態様とは無関係に、シリンジポンプの駆動メカニズムにおける力過負荷を検知しこれから保護するための方法及び装置、例えば例によって説明したもの、又はここで他に考えられるものは、（ｉ）ポンプの受け内で受容されたシリンジプランジャの面（又はプランジャに動作的にカップリングされた構造）と（ｉｉ）受け自体、との間の相対寸法又は距離が、受け内のセンサを過負荷力から常に保護することができることを特徴としていることは明らかである。したがってシリンジポンプ内の力過負荷を検知しこれから保護するための方法及び装置の個々の構成部分を、このような装置及び方法の実施態様の構成及び構造の他の項目と一緒に選択することは、これらの種々の実施態様のこのような項目が上述のように受け内のセンサを過負荷力から保護するように機能するのであれば、本明細書の新規且つ発明的な主題に基づいて、所望の通りに行うことができる。
【００２４】
一実施態様では、過負荷保護装置は、親指押圧部を備えたシリンジプランジャを含むシリンジに加えられた過負荷力からシリンジポンプ力センサを動作的に分離する。シリンジポンプ力センサは、親指押圧部に加えられる駆動力を測定するために親指押圧部に動作的にカップリング可能である。過負荷保護装置はドームスイッチを含んでおり、ドームスイッチは、ドームスイッチ長手方向軸線と、ドームスイッチ長手方向軸線に沿って測定されるドームスイッチ幅とを備えており、ドームスイッチがドームスイッチ伸長形態とドームスイッチ圧潰形態との間でシフト可能であり、ドームスイッチが、ドームスイッチ幅伸長寸法とドームスイッチ幅圧潰寸法との間でシフト可能なドームスイッチ幅を備えており、ドームスイッチ幅圧潰寸法がドームスイッチ幅伸長寸法よりも小さい。ドームスイッチは、軸線方向ピストン駆動力をドームスイッチへ伝達し、そしてドームスイッチ伸長形態とドームスイッチ圧潰形態との間でドームスイッチをシフトするために、親指押圧部に動作的にカップリングされたドームスイッチ係合面で、シリンジポンプ力センサと動作的に係合可能である。また構造が、ドームスイッチを受容し、そして軸線方向ピストン駆動力とほぼ整合されたドームスイッチ長手方向軸線を配向するためのドームスイッチ受けを画定し、ドームスイッチ受けがドームスイッチ受け端壁と、ドームスイッチ受け動作深さとを備えており、ドームスイッチ受け動作深さは、ドームスイッチがドームスイッチ伸長形態を成すときに、ドームスイッチ受け端壁とドームスイッチ係合面との間でドームスイッチ長手方向軸線に沿って測定可能である。加えて、プランジャストッパが、プランジャ親指押圧部と動作的に係合するために、そしてドームスイッチ受け動作深さがドームスイッチ圧潰寸法よりも常に大きいようにドームスイッチ受けを画定する構造に対するプランジャの移動を動作的に制限するために、ドームスイッチ受けを画定する構造に動作的にカップリングされている。
【００２５】
一実施態様では、ドームスイッチが可変比率ばねデバイスを含むことができる。一実施態様では、ドームスイッチが不均一力曲線で圧潰するように形成されている。
【００２６】
一実施態様では、親指押圧部を備えたシリンジプランジャを含むシリンジに加えられた過負荷力からシリンジポンプ力センサを動作的に分離するための過負荷保護を可能にする方法であって、シリンジポンプ力センサが、親指押圧部に加えられる駆動力を測定するために親指押圧部に動作的にカップリング可能である。方法は、ドームスイッチを受容するためのドームスイッチ受けを画定する構造を用意することを含み、ドームスイッチが、ドームスイッチ長手方向軸線と、ドームスイッチ長手方向軸線に沿って測定されるドームスイッチ幅とを備えており、ドームスイッチがドームスイッチ伸長形態とドームスイッチ圧潰形態との間でシフト可能であり、ドームスイッチが、ドームスイッチ幅伸長寸法とドームスイッチ幅圧潰寸法との間でシフト可能なドームスイッチ幅を備えている。ドームスイッチ幅圧潰寸法がドームスイッチ幅伸長寸法よりも小さく、ドームスイッチが、軸線方向ピストン駆動力をドームスイッチへ伝達し、そしてドームスイッチ伸長形態とドームスイッチ圧潰形態との間でドームスイッチをシフトするために、親指押圧部に動作的にカップリングされたドームスイッチ係合面で、シリンジポンプ力センサと動作的に係合可能であり、軸線方向ピストン駆動力とほぼ整合されたドームスイッチ長手方向軸線を配向する。方法はまた、ドームスイッチ受け端壁と、ドームスイッチ受け動作深さとを備えたドームスイッチ受けを含み、ドームスイッチ受け動作深さは、ドームスイッチがドームスイッチ伸長形態を成すときに、ドームスイッチ受け端壁とドームスイッチ係合面との間でドームスイッチ長手方向軸線に沿って測定可能である。方法はまた、プランジャ親指押圧部と動作的に係合するために、そしてドームスイッチ受け動作深さがドームスイッチ圧潰寸法よりも常に大きいようにドームスイッチ受けを画定する構造に対するプランジャの移動を動作的に制限するために、ドームスイッチ受けを画定する構造にプランジャストッパを動作的にカップリングする、ことを含む。
【００２７】
一実施態様では、方法はさらに、ドームスイッチを用意することを含むことができる。一実施態様では、方法はさらに、ドームスイッチ受けを画定する構造とドームスイッチとを含むシリンジポンプを用意することを含むことができる。
【００２８】
システム、装置、及び方法の種々の実施態様を本明細書中で説明してきた。これらの実施態様は、一例を示すものにすぎず、開示全体又は請求の範囲を限定するものではない。さらに言うまでもなく、記載された実施態様の種々の特徴を様々に組み合わせて数多くのさらなる実施態様を生み出すことができる。さらに、開示された実施態様とともに用いるために、種々の材料、寸法、形状、形態、及び位置などを記載したが、しかし開示されたこれら以外の他のものを、開示の範囲を超えることなしに利用してもよい。
【００２９】
当業者には明らかなように、実施態様が上記個々の実施態様に示されているよりも少ない特徴を含んでもよい。本明細書中に記載された実施態様は、種々の特徴の組み合わせ方を網羅的に表したものではない。したがって、これらの実施態様は特徴の互いに排他的な組み合わせではなく、いくつかの実施態様は、当業者には理解されるように、種々異なる個々の実施態様から選択された異なる個々の特徴の組み合わせを含むことができる。さらに、１つの実施態様に関連して記載されたエレメントは他の実施態様において、これら他の実施態様には記載されていなくても、特に断りのない限り実現することができる。
【００３０】
従属請求項が特許請求の範囲において１つ又は２つ以上の他の請求項との特定の組み合わせに言及することがあるが、他の実施態様が、従属請求項と、それぞれ他の従属請求項の主題との組み合わせ、又は１つ又は２つ以上の特徴と、他の従属又は独立請求項との組み合わせを含むこともできる。このような組み合わせは、特定の組み合わせが意図されないと言明されない限り、本明細書中で提案される。さらにまた、ある請求項の特徴を任意の他の独立請求項中に、この請求項がその独立請求項に直接に従属しない場合でさえ含むものとする。
【００３１】
本発明の特許請求の範囲を解釈するために、特定の用語「〜のための手段（means for）」又は「〜のためのステップ（step for）」が請求項中に挙げられない限り、３５Ｕ．Ｓ．Ｃ．の１１２条第６パラグラフの規定は想起されないことが明確に意図される。
【図１】
2017521183.tif 000003
【図２】
2017521183.tif 000004
【図３】
2017521183.tif 000005
【図４】
2017521183.tif 000006
【図５】
2017521183.tif 000007
【図６】
2017521183.tif 000008
【図７】
2017521183.tif 000009
【国際調査報告】
2017521183.tif 000010
2017521183.tif 000011
2017521183.tif 000012